(57)【要約】【課題】複数の表示装置を用い、画像信号発生装置からの画像信号を表示する表示システムにおいて、複数の画面で動画を表示できるようにする。【解決手段】画像番号発生装置１０１内には２つの独立した画像信号出力装置１０２、１０３が設けられ、それぞれインデックスが付加された画像信号１０４，１０５を出力する。表示装置１０６、１０７、１０８は、自装置に設定されているインデックスと同じインデックスが付加された画像信号１０４を受信した時に表示画面を更新する。また、表示装置１０９、１１０、１１１は、自装置に設定されているインデックスと同じインデックスが付加された画像信号１０５を受信した時に表示画面を更新する。従って、表示装置１０６、１０７、１０８の１つで画像信号１０４を占有し、表示装置１０９、１１０、１１１の１つで画像信号１０５を占有することにより、２つの画面で動画を表示することができる。【選択図】        図１
2004279925.tif 000002
【特許請求の範囲】
【請求項１】
それぞれ画像信号を出力する複数の画像信号出力手段と、
複数の表示装置のいずれかを選択して前記画像信号を表示させるためのインデックス信号を生成し前記画像信号に付加するインデックス付加手段とを設けたことを特徴とする画像信号発生装置。
【請求項２】
前記インデックス信号は、前記画像信号のフレーム単位にこの画像信号の表示期間又は画像非表示期間に付加されることを特徴とする請求項１記載の画像信号発生装置。
【請求項３】
前記インデックス付加手段は、前記複数の画像信号出力装置から出力される全ての画像信号に前記インデックスを付加することを特徴とする請求項１又は２記載の画像信号発生装置。
【請求項４】
前記インデックス付加手段は、前記複数の画像信号出力装置から出力される画像信号の少なくとも１つにはインデックスを付加しないことを特徴とする請求項１又は２記載の画像信号発生装置。
【請求項５】
前記インデックス付加手段は、前記複数の画像信号出力装置から出力される画像信号の少なくとも１つに固定インデックスを付加することを特徴とする請求項１、２又は３記載の画像信号発生装置。
【請求項６】
前記複数の画像信号出力装置の少なくとも１つは複数の画面を持つ画像信号を出力し、この複数の画面の１つと他の画像信号出力装置の画像信号の画面とを互いに隣接させて１つの画面を構成するようになされ、その際、ある画像が複数の画面間をまたいだときに、他の画面にそのまたいだ画像の一部がはみ出して表示されないようにする制御手段を設けたことを特徴とする請求項１〜５のいずれか１項記載の画像信号発生装置。
【請求項７】
前記制御手段は、ある画像が１つの画面からはみ出した時に、前記隣接関係の上下及び／又は左右の関係を変更することにより、他の画面にそのはみ出した画像を表示しないことを特徴とする請求項６記載の画像信号発生装置。
【請求項８】
前記制御手段は、画面表示しない画像信号を出力する画像信号出力装置を有し、ある画像が１つの画面からはみ出した時に、そのはみ出した画像を前記画面表示しない画像信号に重畳することにより、他の画面にはみ出した画像を表示しないことを特徴とする請求項６記載の画像信号発生装置。
【請求項９】
前記制御手段は、仮想画面領域を持ち、画像が複数画面間をまたいだときに、そのはみ出した画像を前記仮想画面領域に表示することにより他の画面にはみ出した画像を表示しないことを特徴とする請求項６記載の画像信号発生装置。
【請求項１０】
前記各画像信号出力装置の各画面の切り替えを制御する切り替え制御手段を設けたことを特徴とする請求項６〜９のいずれか１項記載の画像信号発生装置。
【請求項１１】
前記切り替え制御手段は、アクティブ画面を有しない画像信号出力装置の面面の切り替え制御を行う場合、アクティブがあった時の状態を引き継ぐことを特徴とする請求項１０の画像信号発生装置。
【請求項１２】
前記切り替え制御手段は、アクティブ画面を有しない画像信号出力装置の画面の切り替え制御を行う場合、全ての画面に同一の更新比重を持つことを特徴とする請求項１０の画像信号発生装置。
【請求項１３】
前記切り替え制御手段は、アクティブ画面を有しない画像信号出力装置の画面の切り替え制御を行う場合、更新のあった画面を随時自動的に判断し、その画面を優先的に更新することを特徴とする請求項１０の画像信号発生装置。
【請求項１４】
前記切り替え制御手段は、アクティブ画面を有しない画像信号出力装置の画面の切り替え制御を行う場合、更新頻度の高い画面を自動判別して、頻度の高い画面を優先的に画面更新することを特徴とする請求項１０の画像信号発生装置。
【請求項１５】
前記切り替え制御手段によるアクアィブ画面を有しない画像信号出力装置の画面の切り替え制御が、アクティブ画面と同じインデックスを有する画面の更新を優先することを特徴とする請求項１０の画像信号発生装置。
【請求項１６】
前記切り替え制御手段による画面更新の頻度をユーザーが自由に選択、設定できるインターフェースを設けることを特徴とする請求項１０〜１５のいずれかの画像信号発生装置。
【発明の詳細な説明】
【０００１】
【発明の属する技術分野】
本発明は、画像信号発生装置に関するもので、より詳しくは、パーソナルコンピュータ（ＰＣ）などの所定のフォーマットを有する画像信号発生装置と、液晶パネル、ＣＲＴ、デジタルマイクロミラーデバイス（ＤＭＤ）、プラズマディスプレイ（ＰＤＰ）、あるいはフィールド・エミッション・ディスプレイ（ＦＥＤ）などの表示装置とから構成される画像表示システムで用いられる上記画像信号発生装置に関するものである。
【０００２】
【従来の技術】
従来より、図１９に示すような画像信号にインデックスを付加する画像信号発生装置を用いた画像表示システムが知られている（例えば、特許文献１）。
図１９において、１８０１は画像信号発生装置であり、いわゆるＰＣと呼ばれるものなどである。１８０２は画像信号発生装置１８０１内にある画像信号出力装置であり、いわゆるビデオボードなどがそれにあたる。１８０３は画像信号出力装置１８０２から出力される画像信号であり、表示装置１８０４、１８０５、１８０６に入力されている。図では１８０４、１８０５、１８０６はデイジーチェーンで接続されている。
【０００３】
次に動作について説明する。
図１９において、画像信号発生装置１８０１内の画像信号出力装置１８０２からインデックスを付加した画像信号１８０３が出力される。この画像信号１８０３は時分割されて各インデックスが付加されており、表示装置１８０４、１８０５、１８０６は自表示装置に設定されているインデックス番号が来た時に、自表示装置の表示画像を更新する。表示装置１８０４のインデックス番号に表示されている画像は丸、表示装置１８０５のインデックス番号に表示されている画像は立方体、表示装置１８０６に表示されている画像は円柱である。
各インデックスに応じた画面のみを各表示装置が画面更新することで図１８のように３台の各表示装置に各々別の画面を正しく表示することが可能となる。
【０００４】
【特許文献１】
特開２０００−３５２９６２号公報
【０００５】
【発明が解決しようとする課題】
しかし、上記従来の技術では次のような問題がある。
動画表示をする場合には、連続的に画面更新をする必要があるため、動画表示する画面は画像信号を占有する必要があるが、従来のシステムでは画像信号出力装置が１つしかないため、１つの画面でしか動画表示をすることができなかった。
【０００６】
このように、上記従来の技術では１つの画像信号出力装置しか考慮されていないため、複数の画面で動画表示することでができなかった。これを解決する方法として、本発明の画像信号発生装置および、画数信号発生装置制御方法を用いることにより、複数の画像信号出力装置を持つことにより多画面で動画表示することが可能となる。
【０００７】
本発明は上記の問題を解決するためになされたもので、インデックス制御により多画面で動画表示することができる画像信号発生装置を提供することを目的としている。
【０００８】
【課題を解決するための手段】
上記の目的を達成するために本発明による画像信号発生装置は、それぞれ画像信号を出力する複数の画像信号出力手段と、複数の表示装置のいずれかを選択して前記画像信号を表示させるためのインデックス信号を生成し前記画像信号に付加するインデックス付加手段とを設けたことを特徴とするものである。
【０００９】
【作用】
従って、本発明によれば、複数の画像信号出力装置のそれぞれに複数の表示装置を接続し、各画像信号出力装置から出力される各画像信号をそれぞれ複数の表示装置で表示する画像表示システムにおいて、各画像信号を動画とし、それぞれ対応する１つの表示装置で占有表示することにより、複数の画面で動画を表示することができる。
【００１０】
【発明の実施の形態】
以下、本発明の実施の形態を図面と共に説明する。
図１は本発明の第１の実施の形態による画像信号発生装置と表示装置からなる画像表示システムを示すブロック図である。
図１において、１０１は本実施の形態による画像信号発生装置であり、いわゆるＰＣと呼ばれるものなどである。１０２、１０３は画像信号発生装置１０１内にある画像信号出力装置であり、いわゆるビデオボードなどがそれにあたる。１０４は画像信号出力装置１０２から出力される画像信号であり、インデックス機能を有する表示装置１０６、１０７、１０８がその画像信号１０４を受けている。表示装置１０６、１０７、１０８はデイジーチェーンで接続されている。
【００１１】
同様に１０５は画像信号出力装置１０３から出力される画像信号であり、インデックス機能を有した表示装置１０９、１１０、１１１がその画像信号１０５を受けている。表示装置１０９，１１０，１１１はデイジーチェーンで接続されている。尚、画像信号発生装置１０１内には、インデックス付加部が設けられているものとする。
【００１２】
図２は画像信号出力装置１０２、１０３の動作タイミング図である。
図２（Ｄ）において、画像信号１０４が画面１０４ａを出力している瞬間には画像信号１０５は画面１０５ａを出力しており、この組み合わせが図２（Ａ）となる。画像信号１０４が画面１０４ｂを出力している瞬間には画像信号１０５が画面１０５ｂを出力しており、この組み合わせが図２（Ｂ）となる。画像信号１０４が画面１０４ｃを出力している瞬間には画像信号１０５が画面１０５ｃを出力しており、この組み合わせ出力画面が図２（Ｃ）となる。
このように各瞬間の組み合わせを図２（Ａ）（Ｂ）（Ｃ）で表している。
【００１３】
次に、上記構成による動作について説明する。
図１において、画像番号発生装置１０１内にある画像信号出力装置１０２から時分割されてインデックスを付加された画像信号１０４が出力される。この画像信号１０４を表示装置１０６、１０７、１０８が受信する。表示装置１０６，１０７，１０８は自表示装置に設定されているインデックス番号と同じインデックスが付加された画像信号１０４を受信した時だけ表示画面を更新する。
画像信号出力装置１０３からも同様にインデックスを付加された画像信号１０５が出力される。この画像信号１０５を表示装置１０９、１１０、１１１が受信する。表示装置１０９、１１０、１１１は自表示装置に設定されているインデックス番号と同じインデックスが付加された画像信号１０５を受信した時だけ表示画面を更新する。
【００１４】
ここで、表示装置１０６、１０９にインデックス番号「ａ」、表示装置１０７、１１０にインデックス番号「ｂ」、表示装置１０８、１１１にインデックス番号「ｃ」が設定されている。なお、インデックスは、画像信号の１フレーム単位に画像の表示期間又は非表示期間に付加するものとする。
また、画像信号出力装置１０２，１０３は独立しており、それぞれの経路の各表示装置はそれぞれの画像信号出力装置により独立して制御される。
【００１５】
図２（Ｄ）は画像信号１０４が表示する画像をあるタイミングでフレーム画面１０４ａ、１０４ｂ、１０４ｃに切り替わる様子を示している。
同様に画像信号１０５もあるタイミングでフレーム画面１０５ａ、１０５ｂ、１０５ｃと切り替わる。画像信号１０４と１０５は同じタイミングで切り替わっている。
【００１６】
図２（Ａ）の画面１０４ａ、１０５ａはインデックス「ａ」のときの画像信号１０４、１０５であり、図２（Ｂ）の画面１０４ｂ、１０５ｂはインデックス「ｂ」のときの画像信号１０４、１０５であり、図２（Ｃ）の画面１０４ｃ、１０５ｃはインデックス「Ｃ」のときの画像信号１０４、１０５である。
【００１７】
画像信号出力装置１０２および１０３からインデックス付加部により同じインデックス番号「ａ」を付加した画面１０４ａ、１０５ａが表示装置に送られる。これを受け取った表示装置１０６と１０９は自表示装置に設定されているインデックス番号と同じなのでそれぞれの画面を更新表示する（図２（Ａ））。しかし、表示装置１０７，１０８、１１０、１１１は自表示装置に設定されているインデックス番号と異なるため表示更新せずに前の画面をそのまま表示する。
同様にインデックス番号「ｂ」を付加した画面１０４ｂ、１０５ｂを出力すると、表示装置１０７、１１０はその画像を更新表示し（図２（Ｂ））、インデックス番号「ｃ」を付加した画面１０４ｃ、１０５ｃを出力すると、表示装置１０８、１１１はその画像を更新表示する（図２（Ｃ））。
【００１８】
上述では画像信号１０４、１０５に同一のインデックスを付加することを前提として説明したが、画像信号出力装置１０２と１０３を独立した別のインデックス付加部で制御することにより、同一タイミングにそれぞれ異なるインデックスを付加することができることは明白である。その際、異なるインデックス２画面でそれぞれ動画表示が可能となる。
【００１９】
また、画像信号出力装置１０２と１０３のインデックスを付加するタイミングを合わせることなく、異なるタイミングで付加することができることは明白である。
【００２０】
さらに、上述では表示装置がデイジーチェーンで接続されていると説明したが、信号分配器やその他のデイジーチェーン以外の接続でも上記動作が可能なことは明白である。
【００２１】
上記第１の実施の形態によれば、２つの画像信号出力装置それぞれに、インデックス番号を付加することによって常に図２（Ａ）、または（Ｂ）もしくは（Ｃ）のような表示となり、各表示装置にインデックスに応じた画像を表示することが可能となる。
また、画面１０４ａ、１０４ｂ、１０４ｃのいずれか１つを動画とし、１０５ａ，１０５ｂ、１０５ｃのいずれか１つを動画とすることにより、２つの画面で動画表示することが可能となる。
【００２２】
図３は本発明の第２の実施の形態による画像表示システムを示すブロック図であり、図１と対応する部分には同一番号を付して重複する説明は省略する。
図３において、３０１は画像信号出力装置１０３から出力されるインデックスを含まない画像信号であり、インデックス機能を有さない表示装置３０２がその画像信号３０１を受けている。
【００２３】
図４は画像信号出力装置１０２、１０３の動作タイミング図である。
画像信号１０４が画面１０４ａを出力している瞬間の画像信号３０１との組み合わせ出力画面が図４（Ａ）であり、画像信号１０４が画面１０４ｂを出力している瞬間の画像信号３０１との組み合わせ出力画面が図４（Ｂ）であり、画像信号１０４が画面１０４ｃを出力している瞬間の画像信号３０１との組み合わせ出力画面が図４（Ｃ）である。
このように各瞬間の組み合わせを図４（Ａ）（Ｂ）（Ｃ）で表している。
【００２４】
次に、上記構成による動作について説明する。
図３において、画像信号発生装置１０１内にある画像信号出力装置１０２からインデックスを付加された画像信号１０４が出力される。この信号を表示装置１０６、１０７、１０８が受信する。表示装置１０６，１０７，１０８は自表示装置に設定されているインデックス番号と同じインデックスが付加された画像信号１０４を受信した時だけ表示画面を更新する。
画像信号出力装置１０３からはインデックスが付加されてない画像信号３０１が出力され、表示装置３０２が受信して画面を表示する。
【００２５】
表示装置１０６にインデックス番号「ａ」、表示装置１０７にインデックス番号「ｂ」、表示装置１０８にインデックス番号「ｃ」が設定されている。
また、画像信号出力装置１０２，１０３は独立しており、それぞれの経路の表示装置はそれぞれの画像信号出力装置により独立して制御される。
【００２６】
図４（Ｄ）は画像信号１０４が出力する画像をあるタイミングで画面１０４ａ、１０４ｂ、１０４ｃに切り替わる様子を示している。
図４（Ａ）の画面１０４ａはインデックス「ａ」のときの画像信号１０４であり、（Ｂ）の画面１０４ｂはインデックス「ｂ」のときの画像信号１０４であり、（Ｃ）の画面１０４ｃはインデックス「ｃ」のときの画像信号１０４である。
【００２７】
画像信号出力装置１０２からインデックス番号「ａ」を付加した画面１０４ａが送られる。これを受け取った表示装置１０６は自表示装置に設定されているインデックス番号と同じなので画面を更新表示する（Ａ）。しかし、表示装置１０７、１０８は自表示装置に設定されているインデックス番号と異なるので、表示更新せず前の画面をそのまま表示する。
【００２８】
同様にインデックス番号「ｂ」を付加した画像信号１０４を出力すると、表示装置１０７はその画像を更新表示し（Ｂ）、インデックス番号「ｃ」を付加した画像信号１０４を出力すると、表示装置１０８はその画像を更新表示する（Ｃ）。
画像信号３０１に着目すると、こちらにはインデックスが付加されていないため、インデックス機能を有しない表示装置３０２は全ての瞬間に画面更新を行うため、動画表示が可能となる。
【００２９】
もちろん、画像信号３０１に画像信号１０４のインデックスとは独立した別の同一インデックスを常に付加して送付し、表示装置３０２をインデックス機能を有する表示装置に代用しても同様の効果が得られることは明白である。
【００３０】
さらに、上述では表示装置がデイジーチェーンで接続されていると説明したが、信号分配器を用い、並列接続で表示装置と接続する場合やその他の接続でも上記動作が可能なことは明白である。
【００３１】
上記第２の実施の形態によれば、画像信号出力装置１０３は常に同じ画像信号３０１を出力しているので、表示装置３０２は動画表示が可能となる。
また、画像信号１０４を受信する画面１０４ａ、１０４ｂ、１０４ｃのいずれか１つを動画とすることにより、上記と合わせて２つの画面で動画表示することが可能となる。
【００３２】
表示装置３０２はインデックス機能を有しない表示装置でも可能であるため、例えばノートパソコンをインデックスを付加しない画面表示とし、ノートパソコンの外部出力にインデックスを付加した画面を出力することができる。
【００３３】
上記第２の実施の形態において、各画面間に画像がまたいでいる場合は後述する問題がある。第３の実施の形態では、画像信号出力装置の画面領域配置構成を変更することで画面間に画像をまたいで表示することを可能としている。
【００３４】
図５、６、７は本発明の第３の実施の形態による画面構成図である。
図５は図３における表示装置１０６、１０７、１０８、３０２の４台の表示装置を横一列に並べて表示しており、それぞれに画面１０４ｄ、１０４ｅ、１０４ｆ、３０１ａを表示している。これらの画面は左右が繋がっており、画面間をまたいで画像を表示することが可能である。
【００３５】
より具体的には、画面１０４ｄと１０４ｅの上に図示のように正方形の画像がまたいで表示され、画面１０４ｅと１０４ｆの下に縦長方形の画像がまたいで表示され、画面１０４ｆと３０１ａの上に横長方形の画像がまたいで表示されている。
【００３６】
図６は画像出力装置１０２、１０３の画面構成であり、図６（Ａ）（Ｂ）（Ｃ）（Ｄ）（Ｅ）は画像信号１０４、３０１の各瞬間の画面である。
つまり、画像信号発生装置１０１から見ると画像信号出力装置１０２、１０３しか見えないため、各瞬間は図６（Ａ）〜（Ｅ）それぞれのようになっているが、画像出力装置１０２からインデックスを付加した画像信号を出力し、表示装置１０６，１０７，１０８がそれぞれ自表示装置に設定されたインデックスに応じた画面を表示することで、図５のように見せている。
【００３７】
図７は図３における画像信号出力装置１０２と１０３の画面領域の位置関係を示したものである。図７（Ａ）（Ｂ）は左右に配置、（Ｃ）（Ｄ）は上下に配置している。
【００３８】
図３のシステムにおいて、画像信号出力装置１０２と１０３による画面の位置構成を図７（Ａ）とする。
画像信号発生装置１０１に複数の画像信号出力装置を接続した場合、様々なオペレーションシステムにおいて、複数の画像信号出力装置で１つの表示領域を表現する場合がある。
【００３９】
例えば、図７（Ａ）では２つの画像信号出力装置による画面配置を表現している。
より具体的には、それぞれ１０２４×７６８の表示解像度の画像信号を出力していたとする時、オペレーションシステムは仮想的に２０４８×７６８の表示領域を有している画像信号出力装置があるものと認識する。しかし、実際にはそれぞれの表示領域を２分割して、１０２４×７６８の領域ごとに、それぞれの分担の領域をそれぞれの画像信号出力装置が出力することとなる。すなわち画像信号出力装置１０２は左の領域である座標（０，０）から（１０２３、７６７）までの領域を表示し、画像信号出力装置１０３は右の領域である座標（１０２４，０）から（２０４７，７６７）までの領域を表示している。
【００４０】
同様に図７（Ｃ）では表示領域全体が１０２４×１５３６の表示領域があり、画像信号出力装置１０２が座標（０，０）から（１０２３，７６７）までを表示し、画像信号出力装置１０３が座標（０，７６８）から（１０２３，１５３５）までの領域を表示することになる。
【００４１】
次に、上記構成による動作について説明する。
図３のシステムにおいて、画像信号出力装置１０２と１０３による画面位置構成が図７（Ａ）とする。
図６（Ｃ）の瞬間の画像信号１０４、３０１において、画面１０４ｆの左には画面１０４ｅとつながっている縦長方形の半分が表示され、右には画面３０１ａとつながっている横長方形の半分が表示されている。画面３０１ａは左に画面１０４ｆとつながっている横長方形が表示されている。
この場合は、画像信号出力装置１０２、１０３の配置と表示装置に表示する画面の配置が一致するため問題はない。
【００４２】
図６（Ｂ）の瞬間の画像信号１０４、３０１において、画面１０４ｅの左には画面１０４ｄとつながっている正方形の半分が表示され、右には画面１０４ｆとつながっている縦長方形の半分が表示されている。縦長方形の残り半分が画面３０１ａに表示されると、図６（Ｅ）の画面３０１ｃのようになってしまう。また、画面３０１ａの左には横長方形の半分が表示されているが、この残りが画面１０４ａに表示されると、図６（Ｅ）の画面１０４ｈのようになってしまう。
【００４３】
このため、図６（Ｂ）の画面１０４ｅの表示をしたいはずだが、図６（Ｅ）の画面１０４ｈの表示となってしまう（実際は破線ではないが、理解しやすいようにこの図では破線とする）。同様に図６（Ａ）の表示をしようとするが、図６（Ｄ）のような表示となってしまう。
この場合には、画像信号発生装置１０２、１０３の画面配置と表示装置に表示する画面１０４ｇと３０１ｂ、あるいは１０４ｈと３０１ｃの配置が異なっているため問題となる。
【００４４】
なぜなら、オペレーションシステム自体は、２つの出力ではなく、１つの広い表示領域がある画像信号出力装置があるものという認識であり、画像信号出力装置１０２、１０３が出力する表示領域の位置構成が、図７（Ａ）のように横に隣り合う配置となっているため、画像信号出力装置１０２の右からはみ出る画像は画像信号出力装置１０３の画像へそのまま表示されてしまい、画像信号出力装置１０３の画像の左からはみ出る画像はそのまま画像信号出力装置１０２の画像へはみ出ることになる。
しかし、実際には図５の画面１０４ｅと３０１ａおよび画面１０４ｄと３０１ａを表示したいので、破線の部分を表示しないようにする必要がある。
【００４５】
この問題を解決する方法として画像信号出力装置１０２と１０３による画面構成を図７（Ｃ）のように縦に重ねた配置とする。
こうすると、図６（Ｅ）の破線部分は表示されることなく、図６（Ｂ）のような画面として表示することが可能となる。これは、画面１０４ｅ中の右のはみ出し部分が画面領域として設定されていない所にはみ出すことになるため、実際の画像信号出力装置には影響が及ばないためである。また、画面３０１ａの左にはみ出した画像も画面領域として設定されていない所にはみ出すことになるために、図６（Ｂ）のように表示することが可能となる。
同様に図６（Ｄ）の破線もなくなり、図６（Ａ）のように表示することができ、図５のようにきれいに表示することが可能となる。
【００４６】
また、上述では左右に画像がはみ出した例をとって説明したが、上下にはみ出していた場合は、図７（Ａ）（Ｂ）のように画面領域の配置を行うことにより、画像をはみ出すことなく表示することが可能となる。
以上により、それぞれの状況に応じて図７（Ａ）（Ｂ）（Ｃ）（Ｄ）のうち画像がはみでない配置構成とすればよいことは明白である。
【００４７】
さらに、左右または上下にぴったり合っている状態ではなく、図７（Ａ）（Ｂ）で上下にずれていたり、図７（Ｃ）（Ｄ）で左右にずれていたり等、ぴったりと合っていなくとも、一方の画面の画像が他方の画面に表示されないような位置関係でさえあれば対処可能なことは明白である。
【００４８】
さらに、画面内から画像がどこにはみ出しているかを調べて、その時々にあわせて画面領域配置構成を動的に移動させることにより実現することができるのは明白である。
【００４９】
また、上下左右同時に画像がはみ出した場合においては、図７（Ｅ）（Ｆ）（Ｇ）（Ｈ）のように２つの画面領域が点でしか接続されていない状態にあらかじめ配置していれば、問題なく表示することができるのは明白である。
【００５０】
上述においては複数の画面が繋がって図５のように１つの大きな画面領域を形成している状態について説明したが、次に、それぞれ独立した画面領域を持つ場合について説明する。
例えば、画面領域配置構成を図７（Ｅ）などの配置にし、図６（Ａ）（Ｂ）の状態を形成すれば、それぞれの画面から超えた画像はもう一方の画面に表示されることが無い。
これにより全ての画面が他の画面の枠外へ出ても、もう一方の画面に表示されることを防ぐことができ、互いに独立した画面表示が可能となる。
【００５１】
上記第３の本実施の形態によれば、画像信号出力装置１０２と１０３の画面領域配置構成を変えることによって画面間に画像がまたいで表示することや、他の画面に余計な画像を表示しないようにすることが可能となる。
【００５２】
また、複数の画面が繋がって１つの大きな画面領域を形成している状態ではなく、それぞれ独立した画面領域を持つ場合についても同様の処理をすれば、画面からはみ出す画像を表示しても他の画面表示に影響なく画像を表示することが可能となる。
【００５３】
さらに、上述では２つの画像信号出力装置で説明しているが、２つ以上の画像信号出力装置においても同様のことが可能なのは明白である。
【００５４】
次に、第４の実趣の形態では、画像信号出力装置間にもう一つ画像信号出力装置を設けることによって、各画面間に画像がまたいで表示することを可能としている。
図８は本発明の第４の実施の形態による画像表示システムのブロック図であり、図９は画面構成図である。図３、５、６と対応する部分には同一番号を付して重複する説明は省略する。
図８において、８０１は画像信号出力装置である。
図９において、９０１、９０２は画像信号出力装置８０１から出力される画像信号である。
【００５５】
次に、上記構成による動作について説明する。
図９（Ａ）のように画面１０４ｄと３０１ａの間に画像信号出力装置８０１が出力する画面領域９０１を設け、画面１０４ｄから右へはみ出す画像を画面領域９０１へ表示し、画面３０１ａから左へはみだす画像を画面領域９０１にはみだして表示することにより、それぞれがはみ出す画像を画面１０４ｄや３０１ａに表示しないようにすることが可能となる。
【００５６】
図９（Ｂ）も同様に画面１０４ｅのはみ出す画像と画面３０１ａのはみ出す画像を画面領域９０２にはみ出して表示することによって、画面１０４ｅや３０１ａに画像をはみ出さないようにすることが可能となる。
なお、画面領域９０１、９０２は画像信号出力装置８０１から出力される画面領域であるが、この出力を表示装置へは接続しないことにより、図５のような表示をすることが可能となる。
【００５７】
また、上記例では画像信号出力装置８０１を１つ追加する必要があるが、画像信号出力装置を物理的に追加することなくこれをソフトウェアで実現することも可能である。
【００５８】
図３のシステム構成において、図９の画面領域９０１、９０２に相当する仮想的な画面領域を設ける。
図９（Ａ）において、９０１は画面１０４ｄ、３０１ａの間に設けられた仮想画面領域であり、同様に図９（Ｂ）において９０２は画面１０４ｅ、３０１ａの間に設けられた仮想画面領域である。
【００５９】
次に、上記構成による動作について説明する。
図９（Ａ）のように画面１０４ｄと３０１ａの間に仮想的に画面領域９０１を設け、画面１０４ｄ、８０１ａのそれぞれからはみ出す画像を仮想画面領域９０１に映すことにより、はみ出す画像をもう一方の画面に表示しないようにすることが可能となる。図９（Ｂ）も同様に画面１０４ｅのはみ出す画像と面面３０１ａのはみ出す画像を仮想画面領域９０２に映すことによって、他方の画師に画像をはみ出さないようにすることが可能となる。
なお、仮想画面領域９０１、９０２は画像信号出力装置１０２、１０３とは関係なく、画面信号出力装置を持たないため、表示には影響しない画面領域である。
【００６０】
さらに、画面１０４ｄや３０１ａの画面領域のうち最大画面領域と同様のサイズの仮想画面領域を持たせることにより、画面１０４ｄや３０１ａに画像をはみ出すことがなくなる。
また、仮想画面領域は、全ての画像の最大サイズと同じにすることによって、どのような画像がはみ出しても他の画像信号出力装置の画像領域へはみ出すことはない。さらに、仮想画面領域を可変とし、はみ出した画数毎に動的に変更してもよいことは明白である。
【００６１】
上述においては複数の画面が繋がって１つの大きな画面領域を形成している状態について説明したが、次に、それぞれ独立した画面領域を持つ場合について説明する。
例えば、画面領域配置構成を図９（Ａ）（Ｂ）などの状態を形成すれば、それぞれの画面から超えた画像はもう一方の画面に表示されることが無い。
これにより全ての画面が他の画面の枠外へ出てももう一方の画面に表示されることを防ぐことができ、互いに独立した画面表示が可能となる。
【００６２】
さらに、仮想画面領域のサイズについては、画像信号出力装置のうち最大の値としたり、全ての画像サイズの最大値とすることで一定値とすることもでき、はみ出した画像毎に動的に変更するというように仮想画面領域を可変とすることも可能である。
【００６３】
また、上述では２つの画像信号出力装置で説明しているが、２つ以上の画像信号出力装置においても同様のことが可能なのは明白である。
【００６４】
上記第４の実施の形態によれば、表示装置へ接続しない画像信号出力装置を設けることにより、画面間にまたぐ画像を表示することが可能となる。
また、画像信号出力装置を追加せずとも、画面間に仮想画面領域を設けることにより、画面間にまたぐ画像を表示することが可能となる。
【００６５】
また、上述において複数の画面が繋がって１つの大きな画面領域を形成している状態ではなく、それぞれ独立した画面領域を持つ場合についても同様の処理をすれば、画面からはみ出す画像を表示しても他の画面表示に影響なく画像を表示することが可能となる。
【００６６】
次に、第５の実施の形態では、各画面間に画像がまたぐことのない処理を行う方法について説明する。
図１０は第５の実施の形態による画像をマウスなどで移動するときの動作を示すフローチャートである。
【００６７】
図１０において、画像を移動する時ステップＦ１００１（以下、ステップ略）において、移動中の画像の上端が画面上からはみ出すかどうかを調べる。はみ出せばＦ１００６にて移動中の画像下端を上画面内下端まで強制的に移動させる。画像を移動する時Ｆ１００２において、移動中の画像の下端が画面下からはみ出すかどうかを調べる。はみ出せばＦ１００７にて移動中の画像上端を下画面内上端まで強制的に移動させる。
【００６８】
画像を移動する時Ｆ１００３において、移勤中の画像の右端が画面右からはみ出すかどうかを調べる。はみ出せばＦ１００８にて移動中の画像左端を右画面内左端まで強制的に移動させる。
画像を移動する時Ｆ１００４において、移動中の画像の左端が画面左からはみ出すかどうかを調べる。はみ出せばＦ１００９にて移動中の画像右端を左画面内右端まで強制的に移動させる。
これをＦ１００５の画像移動終了まで繰り返す。
【００６９】
より具体的には、図１１（Ａ）の画面１１０１ａから１１０２へ画像を移動させる時を考える。
画面１１０１ａから丸の画像をマウスでドラッグしたまま右へ移動する途中、丸画像の右端が画面右端へきた時には図１１（Ｂ）の画面１１０１ｂのようになる。それ以上右へ移動させようとした時に、図１０のＦ１００３の処理によりＦ１００８へ行き、丸画像の左端が右画面１１０２の左端になるように移動する。この時に図１１（Ｃ）の画面１１０１ｃ、１１０２ｃのようになる。さらに右へ動かし、ここで初めてマウスをドロップすることで図１１（Ｄ）の画面１１０２ｄのように丸画像を移動することができる。
【００７０】
上述は画像を右へ移動する時の処理であるが、左、上、下、右上、右下、左上、左下への移動であっても図１０の処理をすることにより、画像が画面間をまたぐことがないようにすることが可能となる。
【００７１】
上記第５の実施の形態によれば、画面間を画像がまたぐことがなくなるので、複数の画像信号出力装置の構成がどのようなインデックス構成であっても、どのような画面領域配置構成であっても、図６（Ｄ）（Ｅ）のようなおかしな画面になることはなくなる。
さらに、画像を移動中に上記処理が行われるため、どこの位置に移動するかを確認しながら移動することができる。
【００７２】
次に、第６の実施の形態では、画面の外に画像がはみ出ない処理を行う。
図１２は第６の実施の形態による画像をマウスなどで移動するときの動作を示すフローチャートである。
【００７３】
図１２において、画像を移動する時Ｆ１２０１において、移動中の画像の上端が画面上端にきたかどうかを調べる。画面上端にきたらＦ１２０６にてそれ以上上に移動できないようにする。
画像を移動する時Ｆ１２０２において、移動中の画像の下端が画面下端にきたかどうかを調べる。画面下端にきたらＦ１２０７にてそれ以上下に移動できないようにする。
【００７４】
画像を移動する時Ｆ１２０３において、移動中の画像の右端が画面右端にきたかどうかを調べる。画面右端にきたらＦ１２０８にてそれ以上右に移動できないようにする。
画像を移動する時Ｆ１２０４において、移動中の画像の左端が画面左端にきたかどうかを調べる。画面左端にきたらＦ１２０９にてそれ以上左に移動できないようにする。
これをＦ１２０６の画像移動終了まで繰り返す。
【００７５】
より具体的には、図１１の画面１１０１ａから１１０２へ画像を移動させようとした時を考える。
画面１１０１ａから丸の画像をマウスでドラッグしたまま右へ移動させ、丸画像の右端が画面右端へきた時に画面１１０１ｂのようになる。それ以上右へ移動させようとした時に、図１２のＦ１２０３の処理によりＦ１２０８へ行き、丸画像がそれ以上右へ移動することができなくなる。
さらに右へ動かそうとしても、図１１（Ｂ）から変化は無く、丸画像はそのまま移動しない。
【００７６】
上述は画像を右へ移動する時の処理であるが、左、上、下、右上、右下、左上、左下への移動であっても、図１２の処理により同様の処理を行うことにより、画像が画面をはみ出すことがないようにすることが可能となる。
【００７７】
上記第６の案施の形態によれば、画面を超えて画像がはみ出すことがなくなるため、複数の画像信号出力装置の構成がどのようなインデックス構成であっても、どのような画面領域配置構成であっても図６（Ｄ）（Ｅ）のようにおかしな画面になることはなくなる。
さらに、画像を移動中に上記処理が行われるため、画像が移動できないことを確認しながら移動することができる。
【００７８】
次に、第７の実施の形態は、画像移動中ではなく移動終了時に各画面間に画像がまたぐことのない処理を行う。図１３は第７の実施の形態による画像をマウスなどで移動するときの動作を示すフローチャートである。
【００７９】
図１３において、画像移動終了をＦ１３０１において確認する。
Ｆ１３０２において移動した画像の上端が画面上からはみ出したかどうかを調べる。はみ出していれはＦ１３０６にて移動した画像下端を上画面内下端まで強制的に移動させる。
Ｆ１３０３において移動した画像の下端が画面下からはみ出したかどうかを調べる。はみ出していればＦ１３０７にて移動した画像上端を下画面内上端まで強制的に移動させる。
【００８０】
Ｆ１３０４において移動した画像の右端が画面右からはみ出したかどうかを調べる。はみ出していればＦ１３０８にて移動した画像左端を右画面内左端まで強制的に移動させる。
Ｆ１３０５において移動した画像の左端が画面左からはみ出したかどうかを調べる。はみ出していればＦ１３０９にて移動した画像右端を左画面内右端まで強制的に移動させる。
【００８１】
ここで前記第５の実施の形態のような状況を考える。
図１１（Ａ）で丸画像をマウスドラッグし、そのまま画面１１０２へもってきてドロップするため、図１１（Ａ）から（Ｄ）へ変化し、このため途中経過である図１１（Ｂ）と（Ｃ）が表示されない。
これは画面１１０２上でドロップする時にはじめて図１２の処理が行われるからである。すなわちＦ１３０２、Ｆ１３０３、Ｆ１３０４、Ｆ１３０５全てでＮＯとなるため、Ｆ１３０６、Ｆ１３０７、Ｆ１８０８、Ｆ１３０９の処理が行われないのである。
【００８２】
また、別の状況を考える。
例えば、より具体的には図１４（Ａ）の画面１４０１ａから１４０２へ画像を移動させる時を考える。
画面１４０１ａから丸の画像をマウスでドラッグしたまま右へ移動させ、丸画像の右端が図１４（Ｂ）のように画面右端を超えた時に画面１４０１ｂ、１４０２ｂのようになる。この時にドロップすると、図１３のＦ１３０４の処理により、Ｆ１３０８で丸画像の左端が右画面内左端まで移動する。この時の画面が図１４（Ｃ）である。
この処理により、画像が画面間をまたぐことのない表示とすることが可能となる。
【００８３】
上述は画像を右へ移動する時の処理であるが、左、上、下、右上、右下、左上、左下への移動であっても図１３の処理により同様の処理をすることで画像が画面間をまたぐことがないようにすることが可能となる。
【００８４】
上記第７の実施の形態によれば、画面間を画像がまたぐことがなくなるため、複数の画像信号出カ装置の構成がどのようなインデックス構成であっても、どのような画面領域配置構成であっても、図６（Ｄ）（Ｅ）のようにおかしな画面になることはなくなる。
【００８５】
さらに第５の実施の形態では画面移動中に図１０のような処理をしていたため、処理が複雑になることが考えられるが、この第７の実施の形態ではそのようなこともなく、画像移動後に処理が行われるため、処理が軽くてすむ。
【００８６】
次に、第８の実施の形態は、画像移動中ではなく移動終了時に画面の外に画像がはみでない処理を行う。
図１５は第８の実施の形態による画像をマウスなどで移動するときの動作を示すフローチャートである。
【００８７】
図１５において、画像移動終了をＦ１５０１において確認する。
Ｆ１５０２において、移動した画像の上端が画面上からはみ出したかどうかを調べる。はみ出していればＦ１５０６にて移動した画像上端を自画面内上端まで強制的に移動させる。
Ｆ１５０３において、移動した画像の下端が画面下からはみ出したかどうかを調べる。はみ出していればＦ１５０７にて移動した画像下端を自画面内下端まで強制的に移動させる。
【００８８】
Ｆ１５０４において、移動した画像の右端が画面右からはみ出したかどうかを調べる。はみ出していればＦ１５０８にて移動した画像右端を自画面内右端まで強制的に移動させる。
Ｆ１５０５において、移動した画像の左端が画面左からはみ出したかどうかを調べる。はみ出していればＦ１５０９にて移動した画像左端を自画面内左端まで強制的に移動させる。
【００８９】
ここで、第６の実施の形態のような状況を考える。
図１１（Ａ）で丸画像をマウスドラッグし、そのまま画面１１０２へもってきてドロップする際、マウスをドロップするまで途中の図１１（Ｂ）が見えない。ドロップした時に初めて図１１（Ｂ）となる。
これは画面１１０２上でドロップする時に図１５の処理が行われるからである。Ｆ１５０２、Ｆ１５０３でＮＯとなり、Ｆ１５０４でＹＥＳとなるため、Ｆ１５０８の処理が行われ、Ｆ１５０５でＮＯとなり、図１１（Ｂ）の表示となる。
【００９０】
また、別の状況を考える。
例えば、より具体的には図１４の画面１４０１ａから１４０２へ画像を移動させる時を考える。
画面１４０１ａから丸の画像をマウスでドラッグしたまま右へ移動させ、マウスを１４０１ａ、１４０２の間にある時にドロップすると、上記と同様Ｆ１５０８の処理により丸画像の右端が自画面内右端まで移動する。この時の画面が図１１（Ｂ）である。
この処理により、画像が画面の外側にはみでないような表示とすることが可能となる。
【００９１】
上述は画像を右へ移動する時の処理であるが、左、上、下、右上、右下、左上、左下への移動であっても、図１５の処理により同様の処理をすることで画像が画面間をまたぐことのないようにすることが可能となる。
【００９２】
上記第８の実施の形態によれば、画面間を画像がまたぐことがなくなるため、複数の画像信号出力装置の構成がどのようなインデックス構成であっても、どのような画面領域配置構成であっても、図６（Ｄ）（Ｅ）のようにおかしな画面になることはなくなる。
【００９３】
さらに、第６の実施の形態では画面移動中に処理をしていたため、処理が複維になることが考えられるが、この第８の実施の形態ではそのようなこともなく、画像移動後に処理が行われるため、処理が軽くてすむ。
【００９４】
次に、前述した図１９の特許文献１（特開２０００−３５２９６２号公報）では、例えばマウスのある画面を優先画面とし、マウスの存在する画面を出力する割合を高め、その他の画面は出力しないか、低い割合で出力することにより、マウスが存在する画面での作業効率を良くしたり、動画表示をするなどしていた。
【００９５】
第８の実施の形態のように画像信号出力装置が複数ある場合に、マウスが存在しない側の画像信号においてどのような優先順位で画像出力の割合を高めるかについて述べる。
【００９６】
図１６は第９の実施の形態によるマウスを移動した時の画面の更新頻度を表したタイミング図である。
図１６は図３における画像信号１０４、３０１の画像であり、図３で説明したように画像信号１０４には３台の表示装置１０６，１０７，１０８が接続され、画像信号３０１には１台の表示装置３０２が接続されている。以下、図３、４、１６を用いて説明する。
【００９７】
図１６（Ａ）はマウスが画面１０４ａにあり、この画面の出力が高い頻度で出力（以降、優先出力という）されており、画面１０４ｂ、１０４ｃは低い頻度で出力されている。これにより、図３の表示装置１０６が優先的に画面更新され、表示装置１０７、１０８は低い頻度で画面更新される。
画面３０１は常に出力されているので、表示装置３０２は常に画面更新されている。
【００９８】
ここで、マウスを画面１０４ａから３０１に移動した時の画像信号１０４の出力を考えると、いくつかの方法が考えられる。
１つは、前回の優先出力を維持したまま画面出力が行われる。図１６（Ａ）がそれであり、これは前回の作業画面が最も優先的に更新したい画面であるためである。
例えば、画面１０４ａで、表計算ソフトを動作させ、画面１０４ｂ、１０４ｃでそれぞれ別の資料を表示し、画面３０１ではワープロソフトを動作させているとする。画面１０４ｂ、１０４ｃの資料を参照しながら、画面１０４ａの表計算ソフトでデータを打ちこみ、ワーブロソフトで報告書を作成するなどといった場合である。
【００９９】
この時は、画面１０４ｂ、１０４ｃの資料は参照用にしかせず、画面１０４ａの表計算ソフトに記入しながら、ワープロソフトに報告をまとめるといったように使用することができる。
画面１０４ｂ、１０４ｃは参照用なので画面更新の頻度は少なくてもよく、画面１０４ａ、画面３０１は作業用なので画面更新の頻度が多いほうがよい。
【０１００】
もう１つは、前回の優先出力を考慮せずに、画面１０４ａ、１０４ｂ、１０４ｃ全て等しく更新するようにする。図１６（Ｂ）がそれであり、どの画面にどのようなアプリケーションを使用していてもそれぞれが随時更新しているので、タイムラグがほとんどなく画面を更新することができる。
例えば、画面１０４ａにメールソフト、画面１０４ｂにチャット画面、画面１０４ｃにインターネットニュースを表示している場合、メールは到着しても少しのタイムラグですぐに画面が更新され、チャットは相手と話している内容が少しのタイムラグで更新され、インターネットニュースは少しのタイムラグで更新されるため、動画でもない限りは問題なく使用することができる。
【０１０１】
最後に、前回の優先出力を考慮せずに、画面１０４ａ、１０４ｂ、１０４ｃの中で画面変化の一番大きな画面を認識し、その画面を優先的に更新するようにする。図１６（Ｃ）がそれであり、前回の作業画面１０４ａが静止画であり、画面１０４ｃに動画やメールソフトなどが起動していた時には、随時画面更新が自動的に行われるので、動画を違和感なく見ることができ、メールの着信をすぐ確認することが可能となる。
【０１０２】
例えば、画面１０４ａにメールソフト、画面１０４ｂにチャット画面、画面１０４ｃにインターネットニュースを表示していても、それぞれの画面が変化したかどうかを確認し、その状況に応じて自動的に変化した画面を優先的に画面更新を行うため、メールが到着すると画面１０４ａが更新し、チャット画面に返答があると、画面１０４ｂが更新し、また、ニュースが流れると画面１０４ｃが更新するなど、知りたい情報をすぐに知ることができる。
【０１０３】
上述ではマウスの有無で作業画面を判断しているが、キーカーソルや他の方法で作業画面を認識してもよいことは明白である。
また、画像信号出力装置が２つの場合について説明したが、２つ以上の場合でも同様に考えることが可能である。
さらに、上述は図３においての説明であるが、図１のシステムにおいても有効であることは明白である。
【０１０４】
上記第９の実施の形態によれば、作業画面が画像信号出力装置問で移動した時に、作業画面のない画像信号出力装置側における各インデックス画面の画像更新タイミングの設定によって、最適な使い方をすることが可能となる。
【０１０５】
図１７、１８は第１０の実施の形態によるマウスを移動した時の画面の更新頻度を表したタイミング図である。
図１７、１８は、図１における画像信号１０４、１０５の画像であり、図１で説明したように画像信号１０４には３台の表示装置１０６，１０７，１０８が接続され、画像信号１０５には３台の表示装置１０９，１１０，１１１が接続されている。以下、図１、２、１７を用いて説明する。
【０１０６】
図１７（Ａ）はマウスが画面１０５ａにあり、この画面が優先出力されており、画面１０５ｂ、１０５ｃは低い頻度で出力されている。これにより、図１の表示装置１０９が優先的に更新され、表示装置１１０、１１１は低い頻度で画面更新される。
画面１０４ａにおいてはこの画面が優先出力されており、画面１０４ｂ、１０４ｃは低い頻度で出力されている。これにより、図１の表示装置１０６が優先的に更新され、表示装置１０７、１０８は低い頻度で画面更新される。
【０１０７】
ここで、マウスを画面１０５ａから１０４ｂに移動した時の画像信号出力装置１０３の出力を考えると、いくつかの方法が考えられる。
１つは、前回の優先出力を維持したまま画面出力が行われる。図１７（Ｂ）がそれであり、これは前回の作業画面が最も優先的に更新したい画面であるためである。この方法の利点は第９の実施の形態でも述べているので省略する。
【０１０８】
もう１つは、前回の優先出力を考慮せずに、画面１０４ａ、１０４ｂ、１０４ｃを全て等しく更新するようにする。図１７（Ｃ）がそれであり、どの画面にどのようなアプリケーションを使用していてもそれぞれが随時更新しているので、タイムラグが少なく画面を更新することができる。
この方法の利点は第９の実施の形態でも述べているので省略する。
【０１０９】
さらに、前回の優先出力を考慮せずに、画面１０４ａ、１０４ｂ、１０４ｃの中で画面変化の一番大きな画面を認識し、その画面を優先的に更新するようにする。図１７（Ｄ）がそれであり、前回の作業画面１０４ａが静止画であり、画面１０４ｃに動画やメールソフトなどが起動していた時には、随時画面更新が行われるので、動画を違和感なく見ることができ、メールの着信をすぐ確認することが可能となる。
この方法の利点は第９の実施の形態でも述べているので省略する。
【０１１０】
最後は、前回の優先出力を考慮せずに、マウスの移動先である画面１０４ｂと同じインデックスを持っている画面１０５ｂを優先的に出力するようにする。図１８（Ｅ）がそれであり、同じインデックスが含まれている画面であるため、マウスのある画面１０４ｂと関連性のある画面であるとことが多いため、画面優先することができる。
【０１１１】
例えば、画面１０４ａと１０５ａの２画面でワープロソフトを表示し、画面１０４ｂと画面１０５ｂで表計算ソフトを表示し、画面１０４ｃと画面１０５ｃで資料を表示して表計算しながら、ワープロソフトで報告書を作成しているとする。
この時、画面１０５ａでワープロソフトを用いて文章を作成しながら、表計算するためにマウスを画面１０４ｂに移動する。表計算ソフトは画面１０４ｂと１０５ｂの２画面で表示されているため、画面１０４ｂが優先出力されると共に、画面１０５ｂも優先出力されることにより、表計算ソフトの画面１０４ｂ側に数値を入力し、画面１０５ｂにその数値に基づいたグラフを反映させていると、この作業を違和感なく進めることが可能となる。
【０１１２】
上述ではマウスの有無で作業画面（アクティブ画面）を判断しているが、カーソルや他の方法により作業画面を認識することができることは明白であり、他の実施の形態においても同様である。
さらに、第９の実施の形態で述べていたようなことはこの場合でも活用できることは明白である。
また、画像信号出力装置が２つの場合について説明したが、第９の実施の形態と同様に２つ以上の場合でも同様に考えることが可能である。
【０１１３】
さらに、図１７（Ａ）（Ｂ）図１８（Ａ）では画像信号１０４と１０５が同期して変化しているが、図１８（Ｆ）（Ｇ）のように非同期で変化してもよいことは明白である。
【０１１４】
上記第１０の実施の形態によれば、マウスが画像信号出力装置間で移動した時に、マウスのない画像信号出力装置側における各インデックス画面の画像更新タイミングの設定によって、最適な使い方をすることが可能となる。
また、上記様々な設定をユーザーがフレキシブルに選択、設定できるようにしても良い。
【０１１５】
【発明の効果】
以上説明したように、本発明によれば、それぞれ画像信号を出力する複数の画像信号出力手段を設けると共に、複数の表示装置のいずれかを選択して各画像信号を表示させるためのインデックス付加手段とを設けたことにより、各画像信号を複数の表示装置で表示する画像表示システムにおいて、各画像信号出力装置にそれぞれ接続された複数の表示装置の各１つの表示装置で画像信号を占有表示することにより、複数の画面で動画を表示することができる。
【図面の簡単な説明】
【図１】本発明の第１の実施の形態による画像表示システムの構成を示すブロック図である。
【図２】本発明の第１の実施の形態による画面構成図と動作タイミング図である。
【図３】本発明の第２の実施の形態による画像表示システムの構成を示すブロック図である。
【図４】本発明の第２の実施の形態による画面構成図と動作タイミング図である。
【図５】本発明の第３の実施の形態による画面構成図である。
【図６】本発明の第３の実施の形態による画面構成図である。
【図７】本発明の第３の実施の形態による画面位置構成図である。
【図８】本発明の第４の実施の形態による画像表示システムの構成を示すブロック図である。
【図９】本発明の第４の実施の形態による画面領域配置構成図である。
【図１０】本発明第５の実施の形態による動作を示すフローチャートである。
【図１１】本発明の第５実施の形態による画面構成図である。
【図１２】本発明の第６の実施の形態による動作を示すフローチャートである。
【図１３】本発明の第７の実施の形態による動作を示すフローチャートである。
【図１４】本発明の第７の実施の形態による画面構成図である。
【図１５】本発明第８の実施の形態による動作を示すフローチャートである。
【図１６】本発明の第９の実施の形態による動作タイミング図である。
【図１７】本発明の第１０の実施の形態による動作タイミング図である。
【図１８】本発明の第１０の実施の形態による動作タイミング図である。
【図１９】従来の画像表示システムの構成を示すブロック図である。
【符号の説明】
１０１：画像信号発生装置、１０２，１０３，８０１：画像信号出力装置、１０４，１０５，３０１：画像信号、１０６，１０７，１０８，１０９，１１０，１１１，３０２：表示装置、１０４ａ、１０４ｂ、１０４ｃ、１０４ｄ、１０４ｅ、１０４ｆ、１０４ｇ、１０４ｈ、３０１ａ、３０１ｂ、９０１，９０２：画面
【図１】
2004279925.tif 000003
【図２】
2004279925.tif 000004
【図３】
2004279925.tif 000005
【図４】
2004279925.tif 000006
【図５】
2004279925.tif 000007
【図６】
2004279925.tif 000008
【図７】
2004279925.tif 000009
【図８】
2004279925.tif 000010
【図９】
2004279925.tif 000011
【図１０】
2004279925.tif 000012
【図１１】
2004279925.tif 000013
【図１２】
2004279925.tif 000014
【図１３】
2004279925.tif 000015
【図１４】
2004279925.tif 000016
【図１５】
2004279925.tif 000017
【図１６】
2004279925.tif 000018
【図１７】
2004279925.tif 000019
【図１８】
2004279925.tif 000020
【図１９】
2004279925.tif 000021